(57)【要約】【課題】円形外周を有する重量物を外部から効率よく迅速且つ安全に検査する検査治具およびその使用方法の提供。【構成】検査治具１０は、車輪装置１２で移動可能とされた基部１１と、基部１１の上部に設けた載置部１３と、載置部１３に設けたローラ装置１４およびストッパ手段１５とを備える。載置部１３に載置した重量物を前記ストッパ手段１５で保持し、該保持した重量物を前記ローラ装置１４で周方向に回転して検査する。【選択図】        図８
2004300948.tif 000002
【特許請求の範囲】
【請求項１】
円形外周を有する重量物の検査治具において、
車輪装置１２を有する移動可能な基部１１と、基部１１の上部に設けた載置部１３と、載置部１３に設けたローラ装置１４およびストッパ手段１５とを備え、前記載置部１３に載置した重量物を前記ストッパ手段１５で保持し、該保持した重量物を前記ローラ装置１４で周方向に回転し検査できるように構成したことを特徴とする重量物の検査治具。
【請求項２】
請求項１において、前記載置部１３が複数の重量物を載置できるように構成されていることを特徴とする重量物の検査治具。
【請求項３】
請求項１または請求項２において、前記重量物が筒体２とその端部に同軸的に設けたフランジ部３を有するガスタービン燃焼ノズルケーシング１であり、前記ローラ装置１４が前記筒体２とフランジ部３をそれぞれ独立して回転自在に支持できるように構成されていることを特徴とする重量物の検査治具。
【請求項４】
請求項１ないし３のいずれかに記載の検査治具を使用する方法であって、前記検査治具に重量物を載置した状態で、該重量物の検査、搬送および保管の少なくとも１つを行うことを特徴とする重量物の検査治具の使用方法。
【発明の詳細な説明】
【０００１】
【発明の属する技術分野】
本発明はガスタービン燃焼ノズルケーシング等の円形外周を有する重量物を外側から容易に検査できる検査治具、および該検査治具の使用方法に関する。
【０００２】
【従来の技術】
従来から、ガスタービン燃焼ノズルケーシング等の円形外周を有する重量物、すなわち人力では取扱いが困難な重量を有する円形外周を有する重量物の検査をする場合、特にその外部から行う外観検査、放射線検査、超音波検査等の各種検査をする場合には、該重量物を吊上装置で吊上げ適当な架台上に移し変えて行っている。
【０００３】
図９〜図１１は、円形外周を有する重量物（以下、単に重量物という）の例として重量が６０〜８０Ｋｇ程度あるガスタービン燃焼ノズルケーシングを検査する手順を説明する図である。ガスタービン燃焼ノズルケーシング１（以下、ケーシング１と略称する。）は筒体２とその端部に同軸的に設けたフランジ部３を有する。このケーシング１はガスタービン運転時にはガスタービン装置の本体にフランジ部３でボルト結合されており、結合用のボルトを外すことによって本体から離脱できるようになっている。
【０００４】
ケーシング１を検査するには、先ず図９のようにフランジ部３のボルト孔の２箇所に吊りボルト４をそれぞれ螺着し、それら吊りボルト４に吊上装置（図示せ）のワイヤ５を掛合する。次に吊上装置によりケーシング１を吊上げ、図１０および図１１に示す架台６，７上に載置する。架台６、７の高さはそれぞれケーシング１を構成する筒体２とフランジ部３の外径に適合するものを使用し、架台６上に筒体２を載置して架台７上にフランジ部３を載置し、四つの楔８で、載置したケーシング１の転落を防止するようになっている。
【０００５】
【発明が解決しようとする課題】
前記のように架台６，７の上に載置したケーシング１はその全周にわたって検査が行われるが、最初にケーシング１を架台６，７に載置した状態で、周囲から見える部分や検査器具を接近できる部分についてはそのまま検査できるが、架台６，７で隠れる部分については、ケーシング１を回転してから検査する必要がある。
【０００６】
しかし重量物であるケーシング１を手作業で回転することは困難なので、検査を一旦中断し、吊上装置を使用してケーシング１を吊上げ、異なる位置に回転した状態で架台６，７の上に戻す操作を行ってから検査を再開している。したがって検査に多くの時間と手間を費やすという問題があった。また危険を伴う吊上げ取り降ろし操作を何回も行うことは安全上問題がある。
【０００７】
そこで本発明はこのような従来の重量物の検査作業における問題を解決することを課題とし、そのための新しい検査治具を提供することを目的とする。また本発明は該検査治具の新しい使用方法を提供することも目的とする。
【０００８】
【課題を解決するための手段】
前記課題を解決する本発明に係る重量物の検査治具は、円形外周を有する重量物を検査する治具であり、車輪装置を有する移動可能な基部と、基部の上部に設けた載置部と、載置部に設けたローラ装置およびストッパ手段とを備えている。そして前記載置部に載置した重量物をストッパ手段で保持し、保持された該重量物をローラ装置で周方向に回転して検査できるように構成したことを特徴とする（請求項１）。
【０００９】
上記検査治具において、前記載置部は複数の重量物を載置できるように構成できる（請求項２）。
【００１０】
上記いずれかの検査治具において、前記重量物は筒体とその端部に同軸的に設けたフランジ部を有するガスタービン燃焼ノズルケーシングとすることができ、その場合、その筒体とフランジ部をそれぞれ独立して回転自在に支持できるように前記ローラ装置を構成することができる（請求項３）。
【００１１】
前記課題を解決する本発明に係る前記重量物の検査治具の使用方法は、前記検査治具に重量物を載置した状態で、該重量物の検査、搬送および保管の少なくとも１つを行うことを特徴とする（請求項４）。
【００１２】
【発明の実施の形態】
次に本発明の実施の形態を図面により説明する。図１は本発明に係る検査治具の１例を示す平面図、図２は正面図、図３は図１の  ＩＩＩ−  ＩＩＩ矢視図、図４は側面である。なお本実施形態における検査治具は重量物が図９に示すケーシング１（ガスタービン燃焼ノズルケーシング１）である場合に適したものであるが、本発明の検査治具はこれ以外の（円形外周を有する）重量物にも適用可能なことはいうまでもない。
【００１３】
図１〜図４において、検査治具１０は基部１１と、基部１１の底部に設けた車輪装置１２と、基部の上部に設けた載置部１３と、載置部１３に設けたローラ装置１４およびストッパ手段１５を備えている。
【００１４】
基部１１は鋼材等の剛性および強度の高い金属部材を溶接またはボリトで連結した横枠体１６と縦枠体１７を有し、横枠体１６の底部に前記車輪装置１２が取り付けられ、上部に前記載置部１３を構成する支持部材１８、１９が連結される。また縦枠体１７の上部に複数（本実施形態では４つ）の吊部２０が連結されると共に、前後して２つの手押しレバー２１が連結される。
【００１５】
車輪装置１２は基部１１の四隅に取り付けられた４つのキャスタ２２を備え、２つのキャスタ２２にはストッパ２３が付属しており、それらストッパ２３を操作することにより、それらキャスタ２２を回転可能と回転阻止の２つの状態に切り換え可能としている。
【００１６】
載置部１３を構成する支持部材１８は直径の小さい筒体２を載置し、支持部材１９は直径の大きいフランジ部４を支持する。したがって支持部材１９は支持部材１９より前記直径差だけ高く形成されている。支持部材１８の上部には一対づつの回転自在なローラ２４が二組互いに離間して設けられ、支持部材１９の上部には一対づつの回転自在なローラ２５が同様に設けられる。そしてこれらローラ２４とローラ２５により前記ローラ装置１４が構成される。
【００１７】
図１に示す左側の後列の二つのローラ２４と、前列の２つのローラ２５に１番目のケーシング１の筒体２とフランジ部３が載置され、右側の２つの前列のローラ２４と後列の２つのローラ２５に２番目のケーシング１の筒体２とフランジ部３が載置される。なお検査すべきケーシング１が１つしかない場合は、前記左側の２つのローラ２４と２つのローラ２５、または右側の２つのローラ２４と２つのローラ２５のいずれか一方が使用される。
【００１８】
ケーシング１のフランジ部３を載置する一対のローラ２５を囲むように前記ストッパ手段１５が設けられる。このストッパ手段１５がフランジ部３の前後をに対抗し、そそれがフランジ部３を収容して安定保持できるようになっている。
【００１９】
図５は前記検査治具１０に重量物としてケーシング１を載置した状態を示す平面図、図６は正面図、図７は図５の  ＶＩＩ−  ＶＩＩ矢視図、図８は右側面図である。以下、これらの図を参照して本発明の検査治具１０の使用方法を説明する。
【００２０】
先ず天井クレーン等の吊上装置でケーシング１を図９の如く吊り上げ、そのケーシング１を検査治具１０の載置部１３に図５〜図８に示すように載置する。その際、車輪装置１２の２つのキャスタ２２に付属したストッパ２３をそれぞれ停止位置に切り換え、検査治具１０が床面上を移動しないように拘束しておく。
【００２１】
ケーシング１の筒体２は載置部１３を構成する支持部材１８に設けた後列の２つのローラ２４上に載置され、フランジ部３は同じく載置部１３を構成する支持部材１９に設けた前列の２つのローラ２５上に載置される。なお図５〜図８には２つのケーシング１を載置した状態が示されているが、１つだけ載置することもできる。
【００２２】
検査治具１０は載置したケーシング１を外部から効率的に検査することができる。すなわち最初に載置した状態で隠れていない部分を検査し、次いでケーシング１を載置部１３に載置したまま周方向に回転し、残りの隠れた部分を検査する。その際、ケーシング１はローラ２４，２５上に回転自在に載置されているので、手でケーシング１を周方向に押すだけで簡単に回転できる。またケーシング１はそのフランジ部３の前後がストッパ手段１５で水平方向の移動を阻止された状態で保持されるので、検査治具１０からケーシング１が外部に転落する恐れもない。
【００２３】
検査済みのケーシング１を保管場所に搬送して保管する場合には、ケーシング１を検査治具１０に載置した状態で搬送および保管ができる。そのため搬送や保管に際してケーシング１を吊上装置で積み替える必要がなく、保管のための特別な架台等も不要になる。
【００２４】
ケーシング１を載置した検査治具１０を搬送する方法は、手押しによる方法と吊上装置を使用する方法のいずれでもよい。手押しの場合は車輪装置１２のキャスタ２２に付属したストッパ２３を停止位置から走行位置に切り換え、検査治具１０の前後に設けた２つの手押しレバー２１のいずれかを手で押して搬送すればよい。なお保管に際してはストッパ２３を停止位置に戻しておく。また吊上装置を利用する場合は基部１１の上部４箇所に設けた吊部２０に吊上装置のワイヤを掛合し、吊上装置を操作して搬送する。
【００２５】
これまで説明した実施形態の検査治具１０は、同時に２つのケーシング１の検査や保管が可能な構造になっているが、これに限らず、１つのケーシング１のみ検査等が可能な構造とすることもできる。その場合には図１に示す載置部１３を右半分または左半分だけの載置部分を有する構造にすればよい。または３つ以上のケーシング１を同時に検査可能とする構造であってもよい。その場合には図１に示す載置部１３を左右どちらかに更に１つ分だけ増やした構造にすればよい。
【００２６】
【発明の効果】
以上のように本発明に係る重量物の検査治具は、車輪装置を有する移動可能な基部と、基部の上部に設けた載置部と、載置部に設けたローラ装置およびストッパ手段とを備え、載置部に載置した重量物をストッパ手段で保持し、保持された重量物をローラ装置で周方向に回転して検査できるように構成したことを特徴とする。
【００２７】
上記検査治具を使用することにより、重量物を外部から効率よく迅速且つ安全に検査できる。また、本検査治具は検査対象である重量物を載置した状態で搬送や保管を行うことが可能なので、搬送および保管も効率よく迅速且つ安全に行うことができる。
【００２８】
上記検査治具において、前記載置部は複数の重量物を載置できるように構成できる。このように構成すると重量物の検査等をより効率的に行うことができる。
【００２９】
上記いずれかの検査治具において、前記重量物は筒体とその端部に同軸的に設けたフランジ部を有するガスタービン燃焼ノズルケーシングとすることができ、その場合、前記筒体とフランジ部をそれぞれ独立して回転自在に支持できるように前記ローラ装置を構成することができる。このように構成すると複合的な外周径を有するガスタービン燃焼ノズルケーシングを効率的に載置して検査等を行うことができる。
【００３０】
また本発明に係る前記重量物の検査治具の使用方法は、前記検査治具に重量物を載置した状態で、該重量物の搬送、検査および保管の少なくとも１つを行うことを特徴とする。本方法によれば重量物を検査した後に、その積み替えを行うことなく搬送および保管ができるので、検査以外に搬送および保管も効率よく迅速且つ安全に行うことができる。
【図面の簡単な説明】
【図１】本発明に係る検査治具の１例を示す平面図。
【図２】同正面図。
【図３】図１の  ＩＩＩ−  ＩＩＩ矢視図。
【図４】同右側面図。
【図５】本発明の検査治具１０に重量物としてのケーシング１を載置した状態を示す平面図。
【図６】同正面図。
【図７】図５の  ＶＩＩ−  ＶＩＩ矢視図。
【図８】同右側面図。
【図９】ガスタービン燃焼ノズルケーシングを検査する手順の説明図。
【図１０】ガスタービン燃焼ノズルケーシングを検査する手順の説明図。
【図１１】図１０のＸＩ−ＸＩ矢視図。
【符号の説明】
１  ケーシング（ガスタービン燃焼ノズルケーシング）
２  筒体
３  フランジ部
４  吊りボルト
５  ワイヤ
６，７架台
８  ストッパ手段
１０  検査治具
１１  基部
１２  車輪装置
１３  載置部
１４  ローラ装置
１５  ストッパ手段
１６  横枠体
１７  縦枠体
１８，１９  支持部材
２０  吊部
２１  手押しレバー
２２  キャスタ
２３  ストッパ
２４，２５  ローラ
【図１】
2004300948.tif 000003
【図２】
2004300948.tif 000004
【図３】
2004300948.tif 000005
【図４】
2004300948.tif 000006
【図５】
2004300948.tif 000007
【図６】
2004300948.tif 000008
【図７】
2004300948.tif 000009
【図８】
2004300948.tif 000010
【図９】
2004300948.tif 000011
【図１０】
2004300948.tif 000012
【図１１】
2004300948.tif 000013